(57)【要約】  本発明の実施例は、端末側が端末のＰＤＣＣＨを受信する過程における電力の浪費を減少させることができる物理下り制御チャネル（ＰＤＣＣＨ）検出の設定方法、端末デバイス、ネットワークデバイス、チップ、コンピュータ可読記憶媒体、コンピュータプログラム製品、及びコンピュータプログラムを提供する。方法は、指示信号により、端末デバイスのためにＰＤＣＣＨ検出のパラメータを設定することを含む。
2021529464.tif 000002
【特許請求の範囲】
【請求項１】
ネットワークデバイスに応用される物理下り制御チャネルＰＤＣＣＨ検出の設定方法であって、
指示信号により、端末デバイスのためにＰＤＣＣＨ検出のパラメータを設定することを含む
ことを特徴とするＰＤＣＣＨ検出の設定方法。
【請求項２】
前記指示信号により、端末デバイスのためにＰＤＣＣＨ検出のパラメータを設定することは、
端末デバイスに第１の指示信号を送信することを含み、
前記第１の指示信号がＰＤＣＣＨ検出の第１のパラメータを含み、
前記第１のパラメータが探索空間検出周期の倍数である
ことを特徴とする請求項１に記載のＰＤＣＣＨ検出の設定方法。
【請求項３】
前記第１のパラメータが前記端末デバイスの全ての探索空間に応用され、又は、前記第１のパラメータが前記端末デバイスの第１のタイプの探索空間に応用される
ことを特徴とする請求項２に記載のＰＤＣＣＨ検出の設定方法。
【請求項４】
前記第１の指示信号が第２のパラメータをさらに含み、
前記第２のパラメータが前記第１のパラメータが適用される探索空間を決定するために使用される
ことを特徴とする請求項２に記載のＰＤＣＣＨ検出の設定方法。
【請求項５】
前記第２のパラメータが探索空間のインデックス値を含み、
前記第２のパラメータが前記第１のパラメータが適用される探索空間を決定するために使用されることは、
前記第２のパラメータが前記インデックス値に対応する探索空間に適用されることを含む
ことを特徴とする請求項４に記載のＰＤＣＣＨ検出の設定方法。
【請求項６】
前記第２のパラメータがビットマップであり、前記ビットマップの各ビットが１つの探索空間に対応し、
前記第２のパラメータが前記第１のパラメータが適用される探索空間を決定するために使用されることは、
前記第２のパラメータが該ビットマップのうちの第１の値であるビットに対応する探索空間に適用されることを含む
ことを特徴とする請求項４に記載のＰＤＣＣＨ検出の設定方法。
【請求項７】
前記指示信号により、端末デバイスのためにＰＤＣＣＨ検出のパラメータを設定することは、
端末デバイスに第２の指示信号を送信することを含み、
前記第２の指示信号が、検出する必要があるＰＤＣＣＨのキャリア情報及び／又は帯域幅部分ＢＷＰ情報を端末デバイスに指示するために使用される
ことを特徴とする請求項１〜６のいずれか１項に記載のＰＤＣＣＨ検出の設定方法。
【請求項８】
前記第２の指示信号が、少なくとも１つのキャリアインデックス、及び／又は、少なくとも１つのＢＷＰインデックスを含む
ことを特徴とする請求項７に記載のＰＤＣＣＨ検出の設定方法。
【請求項９】
前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である
ことを特徴とする請求項８に記載のＰＤＣＣＨ検出の設定方法。
【請求項１０】
前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である
ことを特徴とする請求項８に記載のＰＤＣＣＨ検出の設定方法。
【請求項１１】
前記指示信号により、端末デバイスのためにＰＤＣＣＨ検出のパラメータを設定することは、
端末デバイスに第３の指示信号を送信することを含み、
前記第３の指示信号がアグリゲーションレベル情報を含む
ことを特徴とする請求項１〜１０のいずれか１項に記載のＰＤＣＣＨ検出の設定方法。
【請求項１２】
前記指示信号により、端末デバイスのためにＰＤＣＣＨ検出のパラメータを設定することは、
端末デバイスに第４の指示信号を送信することを含み、
前記第４の指示信号が制御リソースセット情報を含む
ことを特徴とする請求項１〜１１のいずれか１項に記載のＰＤＣＣＨ検出の設定方法。
【請求項１３】
前記指示信号は、ＰＤＣＣＨ、媒体アクセス制御層ＭＡＣ制御要素ＣＥ、又は無線リソース制御ＲＲＣシグナリングである
ことを特徴とする請求項１〜１２のいずれか１項に記載のＰＤＣＣＨ検出の設定方法。
【請求項１４】
前記方法は、さらに、
前記指示信号がＰＤＣＣＨであり、前記ＰＤＣＣＨに搬送される下り制御情報ＤＣＩにおける特定フィールドが第２の値である場合、前記ＰＤＣＣＨに前記指示信号が含まれると決定することを含む
ことを特徴とする請求項１３に記載のＰＤＣＣＨ検出の設定方法。
【請求項１５】
端末デバイスに応用されるＰＤＣＣＨ検出の設定方法であって、
ネットワーク側からの指示信号を受信し、前記指示信号に基づいてＰＤＣＣＨ検出のパラメータを取得することと、  
前記ＰＤＣＣＨ検出のパラメータに基づいてＰＤＣＣＨに対して検出を行うこととを含む
ことを特徴とするＰＤＣＣＨ検出の設定方法。
【請求項１６】
前記ネットワーク側からの指示信号を受信し、前記指示信号に基づいてＰＤＣＣＨ検出のパラメータを取得することは、
ネットワーク側からの第１の指示信号を受信することを含み、
前記第１の指示信号が第１のパラメータを含み、
前記第１のパラメータが探索空間検出周期の倍数である
ことを特徴とする請求項１５に記載のＰＤＣＣＨ検出の設定方法。
【請求項１７】
前記第１のパラメータが前記端末デバイスの全ての探索空間に応用され、又は、前記第１のパラメータが前記端末デバイスの第１のタイプの探索空間に応用される
ことを特徴とする請求項１６に記載のＰＤＣＣＨ検出の設定方法。
【請求項１８】
前記第１の指示信号が第２のパラメータをさらに含み、
前記第２のパラメータが前記第１のパラメータが適用される探索空間を決定するために使用される
ことを特徴とする請求項１６に記載のＰＤＣＣＨ検出の設定方法。
【請求項１９】
前記第２のパラメータが探索空間のインデックス値を含み、
前記第２のパラメータが前記第１のパラメータが適用される探索空間を決定するために使用されることは、
前記第２のパラメータが前記インデックス値に対応する探索空間に適用されることを含む
ことを特徴とする請求項１６に記載のＰＤＣＣＨ検出の設定方法。
【請求項２０】
前記方法は、さらに、前記第２のパラメータがビットマップであり、前記ビットマップの各ビットが１つの探索空間に対応することを含み、
前記第２のパラメータが前記第１のパラメータが適用される探索空間を決定するために使用されることは、
前記第２のパラメータが該ビットマップのうちの第１の値であるビットに対応する探索空間に適用されることを含む
ことを特徴とする請求項１６に記載のＰＤＣＣＨ検出の設定方法。
【請求項２１】
前記ネットワーク側からの指示信号を受信し、前記指示信号に基づいてＰＤＣＣＨ検出のパラメータを取得することは、
ネットワーク側からの第２の指示信号を受信し、前記第２の指示信号に基づいて検出する必要があるＰＤＣＣＨのキャリア情報及び／又はＢＷＰ情報を取得することを含む
ことを特徴とする請求項１５〜２０のいずれか１項に記載のＰＤＣＣＨ検出の設定方法。
【請求項２２】
前記第２の指示信号が、少なくとも１つのキャリアインデックス、及び／又は、少なくとも１つのＢＷＰインデックスを含む
ことを特徴とする請求項２１に記載のＰＤＣＣＨ検出の設定方法。
【請求項２３】
前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である
ことを特徴とする請求項２２に記載のＰＤＣＣＨ検出の設定方法。
【請求項２４】
前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である
ことを特徴とする請求項２２に記載のＰＤＣＣＨ検出の設定方法。
【請求項２５】
前記ネットワーク側からの指示信号を受信し、前記指示信号に基づいてネットワーク側により構成されたＰＤＣＣＨ検出のパラメータを取得することは、
ネットワーク側からの第３の指示信号を受信し、前記第３の指示信号がアグリゲーションレベル情報を含むことと、
前記アグリゲーションレベルに基づいてＰＤＣＣＨを検出することとを含む
ことを特徴とする請求項１５〜２４のいずれか１項に記載のＰＤＣＣＨ検出の設定方法。
【請求項２６】
前記ネットワーク側からの指示信号を受信し、前記指示信号に基づいてネットワーク側により構成されたＰＤＣＣＨ検出のパラメータを取得することは、
ネットワーク側からの第４の指示信号を受信し、前記第４の指示信号が制御リソースセット情報を含むことと、
前記制御リソースセットに関連する探索空間におけるＰＤＣＣＨを検出することとを含む
ことを特徴とする請求項１５〜２５のいずれか１項に記載のＰＤＣＣＨ検出の設定方法。
【請求項２７】
前記指示信号は、ＰＤＣＣＨ、ＭＡＣ  ＣＥ、又はＲＲＣシグナリングである
ことを特徴とする請求項１５〜２６のいずれか１項に記載のＰＤＣＣＨ検出の設定方法。
【請求項２８】
前記方法は、さらに、
前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定することを含む
ことを特徴とする請求項２７に記載のＰＤＣＣＨ検出の設定方法。
【請求項２９】
第１の通信ユニットを備えるネットワークデバイスであって、
前記第１の通信ユニットは、指示信号により、端末デバイスのためにＰＤＣＣＨ検出のパラメータを設定するように構成される
ことを特徴とするネットワークデバイス。
【請求項３０】
前記第１の通信ユニットは、端末デバイスに第１の指示信号を送信するように構成され、
前記第１の指示信号がＰＤＣＣＨ検出の第１のパラメータを含み、
前記第１のパラメータが探索空間検出周期の倍数である
ことを特徴とする請求項２９に記載のネットワークデバイス。
【請求項３１】
前記第１のパラメータが前記端末デバイスの全ての探索空間に応用され、又は、前記第１のパラメータが前記端末デバイスの第１のタイプの探索空間に応用される
ことを特徴とする請求項３０に記載のネットワークデバイス。
【請求項３２】
前記第１の指示信号が第２のパラメータをさらに含み、
前記第２のパラメータが前記第１のパラメータが適用される探索空間を決定するために使用される
ことを特徴とする請求項３０に記載のネットワークデバイス。
【請求項３３】
前記第２のパラメータが探索空間のインデックス値を含み、
前記第２のパラメータが前記インデックス値に対応する探索空間に適用されることを含む
ことを特徴とする請求項３２に記載のネットワークデバイス。
【請求項３４】
前記第２のパラメータがビットマップであり、前記ビットマップの各ビットが１つの探索空間に対応し、
前記第２のパラメータが前記第１のパラメータが適用される探索空間を決定するために使用されることは、
前記第２のパラメータが該ビットマップのうちの第１の値であるビットに対応する探索空間に適用されることを含む
ことを特徴とする請求項３２に記載のネットワークデバイス。
【請求項３５】
前記第１の通信ユニットは、端末デバイスに第２の指示信号を送信するように構成され、前記第２の指示信号は、検出する必要があるＰＤＣＣＨのキャリア情報及び／又はＢＷＰ情報を端末デバイスに指示する
ことを特徴とする請求項２９〜３４のいずれか１項に記載のネットワークデバイス。
【請求項３６】
前記第２の指示信号が、少なくとも１つのキャリアインデックス、及び／又は、少なくとも１つのＢＷＰインデックスを含む
ことを特徴とする請求項３５に記載のネットワークデバイス。
【請求項３７】
前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である
ことを特徴とする請求項３６に記載のネットワークデバイス。
【請求項３８】
前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である
ことを特徴とする請求項３６に記載のネットワークデバイス。
【請求項３９】
前記第１の通信ユニットは、端末デバイスに第３の指示信号を送信するように構成され、
前記第３の指示信号がアグリゲーションレベル情報を含む
ことを特徴とする請求項２９〜３８のいずれか１項に記載のネットワークデバイス。
【請求項４０】
前記第１の通信ユニットは、端末デバイスに第４の指示信号を送信するように構成され、
前記第４の指示信号が制御リソースセット情報を含む
ことを特徴とする請求項２９〜３９のいずれか１項に記載のネットワークデバイス。
【請求項４１】
前記指示信号は、ＰＤＣＣＨ、ＭＡＣ  ＣＥ、又はＲＲＣシグナリングである
ことを特徴とする請求項２９〜４０のいずれか１項に記載のネットワークデバイス。
【請求項４２】
前記第１の通信ユニットは、前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定するように構成される
ことを特徴とする請求項４１に記載のネットワークデバイス。
【請求項４３】
第２の通信ユニットを備える端末デバイスであって、
前記第２の通信ユニットは、ネットワーク側からの指示信号を受信し、前記指示信号に基づいてＰＤＣＣＨ検出のパラメータを取得し、前記ＰＤＣＣＨ検出のパラメータに基づいてＰＤＣＣＨに対して検出を行うように構成される
ことを特徴とする端末デバイス。
【請求項４４】
前記第２の通信ユニットは、ネットワーク側からの第１の指示信号を受信するように構成され、前記第１の指示信号が第１のパラメータを含み、
前記第１のパラメータが探索空間検出周期の倍数である
ことを特徴とする請求項４３に記載の端末デバイス。
【請求項４５】
前記第１のパラメータが前記端末デバイスの全ての探索空間に応用され、又は、前記第１のパラメータが前記端末デバイスの第１のタイプの探索空間に応用される
ことを特徴とする請求項４４に記載の端末デバイス。
【請求項４６】
前記第１の指示信号が第２のパラメータをさらに含み、
前記第２のパラメータが前記第１のパラメータが適用される探索空間を決定するために使用される
ことを特徴とする請求項４４に記載の端末デバイス。
【請求項４７】
前記第２のパラメータが探索空間のインデックス値を含み、
前記第２のパラメータが前記インデックス値に対応する探索空間に適用される
ことを特徴とする請求項４６に記載の端末デバイス。
【請求項４８】
前記第２のパラメータがビットマップであり、前記ビットマップの各ビットが１つの探索空間に対応し、
前記第２のパラメータが該ビットマップのうちの第１の値であるビットに対応する探索空間に適用されることを含む
ことを特徴とする請求項４７に記載の端末デバイス。
【請求項４９】
前記第２の通信ユニットは、ネットワーク側からの第２の指示信号を受信し、前記第２の指示信号に基づいて検出する必要があるＰＤＣＣＨのキャリア情報及び／又はＢＷＰ情報を取得するように構成される
ことを特徴とする請求項４３〜４８のいずれか１項に記載の端末デバイス。
【請求項５０】
前記第２の指示信号が、少なくとも１つのキャリアインデックス、及び／又は、少なくとも１つのＢＷＰインデックスを含む
ことを特徴とする請求項４９に記載の端末デバイス。
【請求項５１】
前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である
ことを特徴とする請求項５０に記載の端末デバイス。
【請求項５２】
前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である
ことを特徴とする請求項５０に記載の端末デバイス。
【請求項５３】
前記第２の通信ユニットは、ネットワーク側からの第３の指示信号を受信し、前記アグリゲーションレベルに基づいてＰＤＣＣＨを検出するように構成され、前記第３の指示信号がアグリゲーションレベル情報を含む
ことを特徴とする請求項４３〜５２のいずれか１項に記載の端末デバイス。
【請求項５４】
前記第２の通信ユニットは、ネットワーク側からの第４の指示信号を受信し、前記制御リソースセットに関連する探索空間におけるＰＤＣＣＨを検出するように構成され、前記第４の指示信号が制御リソースセット情報を含む
ことを特徴とする請求項４３〜５３のいずれか１項に記載の端末デバイス。
【請求項５５】
前記指示信号は、ＰＤＣＣＨ、ＭＡＣ  ＣＥ、又はＲＲＣシグナリングである
ことを特徴とする請求項４３〜５４のいずれか１項に記載の端末デバイス。
【請求項５６】
前記端末デバイスがさらに第２の処理ユニットを含み、
前記第２の処理ユニットは、前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定するように構成される
ことを特徴とする請求項５５に記載の端末デバイス。
【請求項５７】
プロセッサと、前記プロセッサで実行可能なコンピュータプログラムを格納するメモリとを備えるネットワークデバイスであって、
前記メモリは、コンピュータプログラムを記憶し、前記プロセッサは、前記メモリに記憶されたコンピュータプログラムを呼び出して実行し、請求項１〜１４のいずれか１項に記載の方法のステップを実行する
ことを特徴とするネットワークデバイス。
【請求項５８】
プロセッサと、前記プロセッサで実行可能なコンピュータプログラムを格納するメモリとを備えるネットワークデバイスであって、
前記メモリは、コンピュータプログラムを記憶し、前記プロセッサは、前記メモリに記憶されたコンピュータプログラムを呼び出して実行し、請求項１５〜２８のいずれか１項に記載の方法のステップを実行する
ことを特徴とするネットワークデバイス。
【請求項５９】
コンピュータプログラムをメモリから呼び出して実行し、チップが搭載された装置に請求項１〜１４のいずれか１項に記載の方法を実行させるプロセッサを有する
ことを特徴とするチップ。
【請求項６０】
コンピュータプログラムをメモリから呼び出して実行し、チップが搭載された装置に請求項１５〜２８のいずれか１項に記載の方法を実行させるプロセッサを有する
ことを特徴とするチップ。
【請求項６１】
請求項１〜２８のいずれか１項に記載の方法のステップをコンピュータに実行させるコンピュータプログラムを記憶する
ことを特徴とするコンピュータ可読記憶媒体。
【請求項６２】
請求項１から２８のいずれか一項に記載の方法をコンピュータに実行させるコンピュータプログラム命令を含む
ことを特徴とするコンピュータプログラム製品。
【請求項６３】
請求項１から請求項２８のいずれか１項に記載の方法をコンピュータに実行させる
ことを特徴とするコンピュータプログラム。
【発明の詳細な説明】
【技術分野】
【０００１】
本発明は、情報処理技術分野に関し、特に、物理下り制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）検出の設定方法、端末デバイス、ネットワークデバイス、チップ、コンピュータ読み取り可能な記憶媒体、コンピュータプログラム製品、及びコンピュータプログラムに関する。
【背景技術】
【０００２】
第五代移動通信技術( ５Ｇ、５ ｔｈ−Ｇｅｎｅｒａｔｉｏｎ Ｗｉｒｅｌｅｓｓ Ｓｙｓｔｅｍｓ )の研究及び標準化により、無線広帯域移動通信は、より高いピークレート、より大きい伝送帯域幅、より低い送信遅延を有する。例えば、５Ｇ端末の動作帯域幅は、１００ ＭＨｚから数１００メガヘルツ( Ｍｅｇａ Ｈｅｒｔｚ、数ＭＨｚ )のオーダーであり、データ伝送レートは、メガビットＧｂｐｓであり、伝送遅延は、ミリ秒ｍｓのオーダーである。また、端末の場合、例えば、広帯域の端末無線周波数や、極速なベースバンド処理は、従来の無線通信システムに比べて端末の消費電力が増大するという問題があった。これは、５Ｇ端末の待機時間及び使用時間、ひいては端末の電池寿命に影響を与える。
【０００３】
端末は、無線リソース制御( ＲＲＣ、Ｒａｄｉｏ Ｒｅｓｏｕｒｃｅ Ｃｏｎｔｒｏｌ )接続状態において、多くの電力消費が浪費される。例えば、端末が接続状態でＰＤＣＣＨ監視測定ウィンドウの設定に基づいてＰＤＣＣＨを連続的に監視測定する必要があるが、実際には、少数のＰＤＣＣＨ伝送スロット上でネットワークが端末にスケジューリングを開始するため、どのように端末のＰＤＣＣＨ監視測定を最適化し、端末のＰＤＣＣＨ受信過程における電力の浪費を低減するかは、端末の電力消費を低減する研究に値する方向である。
【発明の概要】
【０００４】
本発明の実施例は、上記課題を解決するために、端末側で端末のＰＤＣＣＨを受信する際の無駄な電力を削減することができるＰＤＣＣＨ検出の設定方法、端末デバイス、ネットワークデバイス、チップ、コンピュータ読み取り可能な記憶媒体、コンピュータプログラム製品及びコンピュータプログラムを提供する。
【０００５】
第１の態様は、ＰＤＣＣＨ検出の設定方法を提供し、ネットワークデバイスに応用され、前記方法は、
指示信号により、端末デバイスのためにＰＤＣＣＨ検出のパラメータを設定することを含む。
【０００６】
第２の態様は、ＰＤＣＣＨ検出の設定方法を提供し、端末デバイスに応用され、前記方法は、
ネットワーク側からの指示信号を受信し、前記指示信号に基づいてＰＤＣＣＨ検出のパラメータを取得することと、 
前記ＰＤＣＣＨ検出のパラメータに基づいてＰＤＣＣＨに対して検出を行うこととを含む。
【０００７】
第３の態様は、ネットワークデバイスを提供し、第１の通信ユニットを備え、
第１の通信ユニットは、指示信号により、端末デバイスのためにＰＤＣＣＨ検出のパラメータを設定するように構成される。
【０００８】
第４の態様は、端末デバイスを提供し、第２の通信ユニットを備え、
第２の通信ユニットは、ネットワーク側からの指示信号を受信し、前記指示信号に基づいてＰＤＣＣＨ検出のパラメータを取得し、前記ＰＤＣＣＨ検出のパラメータに基づいてＰＤＣＣＨに対して検出を行うように構成される。
【０００９】
第５の態様は、プロセッサとメモリとを含むネットワークデバイスを提供する。このメモリは、コンピュータプログラムを記憶し、このプロセッサは、このメモリに記憶されたコンピュータプログラムを呼び出して実行し、上記第１の態様またはその各実施形態における方法を実行する。
【００１０】
第６の態様は、プロセッサとメモリとを含む端末デバイスを提供する。このメモリは、コンピュータプログラムを記憶し、このプロセッサは、このメモリに記憶されたコンピュータプログラムを呼び出して実行し、上記第２の態様またはその各実施形態における方法を実行する。
【００１１】
第７の態様は、上記の第１の態様から第２の態様のいずれかまたはその様々な実装における方法を実装するためのチップを提供する。
【００１２】
具体的には、このチップは、コンピュータプログラムをメモリから呼び出して実行し、チップが搭載された装置に、上記の第１の態様から第２の態様のいずれか１つまたはその各実施形態の方法を実行させるプロセッサを含む。
【００１３】
第８の態様は、コンピュータに、上記の第１の態様から第２の態様のいずれか１つまたはその各実施形態における方法を実行させるコンピュータプログラムを記憶するためのコンピュータ可読記憶媒体を提供する。
【００１４】
第９の態様は、コンピュータに、上記の第１の態様から第２の態様のいずれか１つまたはその様々な各実施形態における方法を実行させるコンピュータプログラム命令を含むコンピュータプログラム製品を提供する。
【００１５】
第１０の態様は、コンピュータ上で実行されると、コンピュータに、上記の第１の態様から第２の態様のいずれか１つまたはその様々な実施形態における方法を実行させるコンピュータプログラムを提供する。
【００１６】
本発明の実施例による技術案によれば、一部の探索空間のみを検出し、及び/又は、探索空間内の時間領域及び/又は周波数領域の一部の位置のみを検出するように端末デバイスを制御することができ、これにより、端末デバイスが探索空間を検出する頻度を減少させ、端末デバイスのＰＤＣＣＨ検出の最適化を図ることができ、端末検出の複雑性の減少又は消費電力の節約を図ることができる。
【図面の簡単な説明】
【００１７】
【図１】本願の実施例における通信システムアーキテクチャの概略図一である。
【図２】本発明の実施例におけるＰＤＣＣＨ検出の設定方法のフローチャート一である。
【図３】本発明の実施例におけるＰＤＣＣＨ検出の設定方法のフローチャート二である。
【図４】本発明の実施例における端末デバイスの構成図である。
【図５】本発明の実施例における通信デバイスの構成図である。
【図６】本発明の実施例におけるチップのブロック図である。
【図７】本発明の実施例における通信システムアーキテクチャの概略図二である。
【発明を実施するための形態】
【００１８】
以下、本願の実施例について図面を参照して説明するが、本願は、この実施例に限定されるものではなく、本発明の技術的思想に基づく各種の変形が可能である。本出願における実施例に基づいて、当業者が創造的な労働をすることなく得られる全ての他の実施例は、本願の保護範囲に属する。
【００１９】
本願の実施例の技術的思想は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００２０】
本願の実施例が適用される通信システム１００は、例えば、図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステム又はＣＤＭＡシステムにおける基地局（ Ｂａｓｅ Ｔｒａｎｓｃｅｉｖｅｒ Ｓｔａｔｉｏn、ＢＴＳ )、ＷＣＤＭＡシステムにおける基地局( ＮｏｄｅＢ、NＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、又はクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２１】
通信システム１００は、ネットワークデバイス１１０のカバレージ内に配置された少なくとも１つの端末デバイス１２０をさらに含む。ここで使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されなく、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み、従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ（ Ｗｉｒｅｌｅｓｓ Ｌｏｃａｌ Ｌｏｏｐ、ＷＬＬ ）局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００２２】
任意選択で、端末デバイス１２０間の端末直接接続( Ｄｅｖｉｃｅ ｔｏ Ｄｅｖｉｃｅ、Ｄ２Ｄ )通信が行われてもよい。
【００２３】
任意選択で、５Ｇシステム又は５Ｇネットワークは、新たな無線( Ｎｅｗ Ｒａｄｉｏ、ＮＲ )システム又はＮＲネットワークとも呼ばれ得る。
【００２４】
図１は、１つのネットワークデバイス及び２つの端末デバイスを例示的に示しているが、通信システム１００は、複数のネットワークデバイスを含んでもよく、各ネットワークデバイスのカバレージ内に他の数の端末デバイスを含んでもよく、本願の実施例はこれに限定されない。
【００２５】
任意選択で、通信システム１００は、ネットワークコントローラ、モビリティ管理エンティティなどの他のネットワークエンティティをさらに含むことができ、本開示の実施例はこれに限定されない。
【００２６】
なお、本願の実施例におけるネットワーク/システムにおける通信機能を有する装置を通信デバイスと呼ぶ場合がある。図１に示す通信システム１００を例にとると、通信デバイスは、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００２７】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００２８】
本願の実施例はＰＤＣＣＨ検出の設定方法を提供し、ネットワークデバイスに応用され、
指示信号により、端末デバイスのためにＰＤＣＣＨ検出のパラメータを設定することを含む、
ここで、前記ＰＤＣＣＨ検出のパラメータは、全ての探索空間のうちの一部の特定探索空間、および/または、前記探索空間のうちの一部の時間領域および/または一部の周波数領域を検出するように端末デバイスに指示する。
【００２９】
具体的に、図２を参照し、本願のＰＤＣＣＨ検出方法は、以下のステップを含み
ステップ２０１において、端末デバイスのサービス状況及び／又は負荷状況を取得し、
ステップ２０２において、前記端末デバイスのサービス状況及び／又は負荷状況に基づいて、前記端末デバイスに対する指示信号を決定し、
ステップ２０３において、指示信号により、端末デバイスのためにＰＤＣＣＨ検出のパラメータを設定し、
ここで、前記ＰＤＣＣＨ検出のパラメータは、全ての探索空間のうちの一部の特定探索空間、および/または、前記探索空間のうちの一部の時間領域および/または一部の周波数領域を検出するように端末デバイスに指示する。
【００３０】
以下、指示信号の異なるタイプを説明する。
【００３１】
第１のタイプとして、
端末デバイスに第１の指示信号を送信することを含み、前記第１の指示信号がＰＤＣＣＨ検出の第１のパラメータを含み、ここで、前記第１のパラメータが探索空間検出周期の倍数である。
【００３２】
前記第１の指示信号が第２のパラメータをさらに含み、ここで、前記第２のパラメータは、前記端末デバイスが検出する一部の特定の探索空間に対応するインデックス値を示す。
【００３３】
検出周期は、探索空間を構成するパラメータの一つであり、探索空間検出の周期を示し、すなわちＸ個のスロットに１回の探索空間検出を示す。 
具体的には、探索空間の検出周期の倍数を表す第１のパラメータＰを第１の指示信号に搬送されることができ、典型的には、Ｐは１以上の整数である。例えば、端末のある探索空間の検出周期が５つのスロットであり、第１の指示信号に搬送される第１のパラメータＰ＝４は、その探索空間の検出周期が５ * ４ =２０スロットに調整されていることを示している。なお、第１のパラメータＰは、検出期間の調整係数と理解され、その具体的な値は、１よりも大きいか、又は１よりも小さい。
【００３４】
任意選択で、前記第１の指示信号が第２のパラメータをさらに含み、ここで、前記第２のパラメータが前記第１のパラメータが適用される探索空間を決定するために使用される。
【００３５】
前記第２のパラメータが探索空間のインデックス値を含み、
前記第２のパラメータが前記第１のパラメータが適用される探索空間を決定するために使用されることは、前記第２のパラメータが前記インデックス値に対応する探索空間に適用されることを含む。
【００３６】
第１の指示信号には、第２のパラメータ、すなわち、検索空間のインデックス(またはビットマップであり、各ビットが１つの検索空間に対応する)が同時に搬送されてよく、このとき、第１のパラメータＰは、そのインデックスが対応する検索空間に応用される。探索空間の指示を追加する。すなわち、現在で４つの探索空間が仮定され、そのうちの第１、３番目の探索空間に対する探索を第２のパラメータによって指示でき、各探索空間に対する検出周期を第１のパラメータＰにより調整する。
【００３７】
前記第２のパラメータがビットマップであり、前記ビットマップの各ビットが１つの探索空間に対応し、
前記第２のパラメータが前記第１のパラメータが適用される探索空間を決定するために使用されることは、前記第２のパラメータが該ビットマップのうちの第１の値であるビットに対応する探索空間に適用されることを含む。ここで、前記第１の値は１であってもよく、すなわち、ビットマップのいずれかのビットが１に設定される場合、対応する探索空間が検出すべき探索空間であることを示す。
【００３８】
ここで、第２のパラメータはビットマップで指示される場合、( １０１０ )となり、そのうちの第１、３の探索空間について検出を行うことを示すことができ、もちろん、他の指示方式も存在してもよく、この実施例では網羅しない。
【００３９】
任意選択で、第２のパラメータは、検索空間のタイプを含む。前記探索空間のタイプは予め設定され又はネットワークにより設定され、例えば、第１タイプの探索空間がユーザ専用探索空間であり、第２のタイプの探索空間が共通探索空間であり、又は、第１のタイプの探索空間が検出周期が１０つのスロット未満の探索空間であり、第２のタイプの探索空間が検出周期が１０つのスロット以上の探索空間であり、第２のパラメータが１ビットであり、そのビットの値が１であるときは前記第１のパラメータがユーザ専用探索空間に適用されることを示し、そのビットの値が０であるときは前記第１のパラメータが共通探索空間に適用されることを示す。任意選択で、第２のパラメータが１１である場合、全ての探索空間に適用可能であることを示す。
【００４０】
任意選択で、前記第１のパラメータが前記端末デバイスの全ての探索空間に応用され、又は、前記第１のパラメータが前記端末デバイスの第１のタイプの探索空間に応用される。第１のタイプの探索空間は、専用探索空間、共通探索空間、あるキャリア上の探索空間、或るＢＷＰ上の探索空間、又は検出周期が或る値(例えば１０タイムスロット)未満の探索空間であってもよい。前記第１のパラメータが適用される第１のタイプの探索空間は、ネットワークにより設定されてもよく、または事前設定されてもよい。例えば、第１の指示信号には検索空間のインデックスは搬送されず、このとき、第１のパラメータＰは、端末の全ての検索空間に適用され、または、この端末の全てのＵＥ専用探索空間にこの第１のパラメータＰが適用され、共通探索空間のパラメータは変更しない。
【００４１】
すなわち、第１の指示信号に第２のパラメータが含まれていない場合には、第１のパラメータのみを用いて検出を行い、第１のパラメータが全ての探索空間に適用されてもよいし、端末デバイスの専用探索空間に適用されてもよい。また、ある処理として、ネットワーク側から、現在、第２のパラメータを受信しているか否かに関わらず、第１のパラメータのみを用いて検出することを端末デバイスに指示し、検出するのは、全ての探索空間であってもよいし、端末デバイスに対する専用探索空間であってもよい。
【００４２】
この実施例において、端末デバイスが初期構成する少なくとも１つの探索空間の検出周期は、前記第１の指示信号により、前記端末デバイスに設定された少なくとも１つの探索空間に対応する検出周期であってもよい。すなわち、ネットワーク側は、第１の指示信号によって少なくとも１つのパラメータを設定するだけでなく、初期状態における探索空間ごとの検出周期を設定することができる。例えば、第１の指示信号には、特定のまたは複数の探索空間の検出周期を構成するための第２のパラメータＱを搬送することができる。
【００４３】
第２のタイプとして、端末がＰＤＣＣＨを検出する複雑性を低減し、または、省電力化を達成するために、ネットワークは、端末がＰＤＣＣＨを検出する必要があるキャリア情報および/またはＢＷＰ情報を、第２の指示信号によって示すことができる。
【００４４】
具体的に、端末デバイスに第２の指示信号を送信することを含み、前記第２の指示信号は、検出する必要があるＰＤＣＣＨのキャリア情報及び／又はＢＷＰ情報を端末デバイスに指示する。
【００４５】
この形態において、ネットワークデバイスは、端末デバイスのために少なくとも１つのキャリアを設定し、各キャリア上に少なくとも１つの帯域幅部分（ＢＷＰ、Ｂａｎｄｗｉｄｔｈ ｐａｒｔ）を設定し、各にＢＷＰ上に少なくとも１つの探索空間を設定する。
【００４６】
具体的に、前記第２の指示信号が、少なくとも１つのキャリアインデックス、及び／又は、少なくとも１つのＢＷＰインデックスを含む。例えば、ネットワークは、端末に２つのキャリアが設定され、各キャリアに４つのＢＷＰが設定され、各ＢＷＰに８つの探索空間が設定され、ＰＤＣＣＨにキャリアインデックスとＢＷＰインデックスを搬送ることで、端末に該キャリア上の該ＢＷＰに設定された全ての探索空間の検出を指示することができる。
【００４７】
なお、前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である。又は、前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である。すなわち、第２の指示信号に搬送されたキャリアインデックス(又はＢＷＰインデックス)は、端末に該キャリア( ＢＷＰ )上の探索空間を検出するように指示するために用いられ、又は、第２指示信号に搬送されたキャリアインデックス(またはＢＷＰインデックス)は、該キャリア( ＢＷＰ )を除く他のキャリア( ＢＷＰ )上の探索空間を検出するように端末に指示するために用いられる。
【００４８】
第３のタイプとして、端末デバイスに第３の指示信号を送信することを含み、ここで、前記第３の指示信号がアグリゲーションレベル情報を含む。
【００４９】
すなわち、検出される必要がある探索空間における特定のアグリゲーションレベルに対応するＰＤＣＣＨが端末デバイスに指示する。
【００５０】
すなわち、端末が検出する必要がある探索空間におけるあるアグリゲーションレベルに対応するＰＤＣＣＨが第３の指示信号によって指示される。
【００５１】
例えば、新規ラジオ( ＮＲ、Ｎｅｗ Ｒａｄｉｏ )システムのＰＤＣＣＨは、アグリゲーションレベル( Ａｇｇｒｅｇａｔｉｏｎ ｌｅｖｅｌ ) １、２、４、８、１６をサポートし、ＰＤＣＣＨにおいてアグリゲーションレベル情報(例えば、ＡＬ＝４ )を搬送して、端末が全ての探索空間において、アグリゲーションレベル４のＰＤＣＣＨのみを検出する必要があることを示す。
【００５２】
第４のタイプとして、
端末デバイスに第４の指示信号を送信することを含み、ここで、前記第４の指示信号が制御リソースセット情報を含む。
【００５３】
すなわち、第４の指示信号により、特定の制御リソースセット情報に対応する探索空間を検出するように端末デバイスに指示する。
【００５４】
すなわち、ネットワークが端末に設定する検索空間は、ある制御リソースセットに対応し、複数の検索空間は、同じ制御リソースセットに対応することができ、ネットワークは、第４の指示信号に制御リソースセットの情報が搬送されることにより、端末に、該制御リソースセットに対応する検索空間のみを検出するように指示することができる。
【００５５】
なお、前記４つのタイプの指示信号は、組み合わせて用いることができ、例えば、前記４つのタイプの指示信号の少なくとも１つを用いて用いることができ、具体的な組み合わせ方は、この実施例に限定されない。
【００５６】
なお、この実施例の指示信号は、ＰＤＣＣＨ、媒体アクセス制御層（ＭＡＣ、Ｍｅｄｉａ Ａｃｃｅｓｓ Ｃｏｎｔｒｏｌ）制御要素（ＣＥ、Ｃｏｎｔｒｏｌ Ｅｌｅｍｅｎｔ）、又はＲＲＣシグナリングであってもよい。即ち、第１の指示信号、第２の指示信号、第３の指示信号、第４の指示信号のいずれもＰＤＣＣＨ、ＭＡＣ ＣＥ、又はＲＲＣシグナリングにより伝送される。
【００５７】
任意選択で、前記指示信号がＰＤＣＣＨであり、前記ＰＤＣＣＨに搬送される下り制御情報（ＤＣＩ、Ｄｏｗｎｌｉｎｋ Ｃｏｎｔｒｏｌ Ｉｎｆｏｒｍａｔｉｏｎ）における特定フィールドが第２の値である場合、前記ＰＤＣＣＨには前記指示信号が含まれると決定する。
【００５８】
すなわち、上述の第１、第２、第３、第４の指示信号がＰＤＣＣＨである場合、既存のＤＣＩフォーマットによって実現され、例えば、ＤＣＩ中のあるフィールドを特定の値に設定することによって、このＤＣＩが前記第１、第２、第３、第４の指示信号であることを示す。
【００５９】
さらに、ネットワークデバイスは、サービス状況及び／又はネットワーク負荷等の状況により、上記指示信号を決定してもよい。
【００６０】
例えば、端末デバイスのサービスが少ない場合、端末デバイスの検出周期を大きくし、第１のパラメータによって検出周期を調整することができ、又は、ネットワーク負荷が大きい場合には、端末デバイスの検出回数を減らすことができる。端末デバイスの検出回数を減らす方法は、上記の４つの指示信号の１つ以上によって指示することであり、ここでは網羅的に説明しない。
【００６１】
このように、上記の構成を採用することにより、端末デバイスが一部の探索空間のみを検出し、及び／又は、探索空間内の時間領域及び/又は周波数領域の一部の位置を検出するように制御することができるので、端末デバイスが探索空間を検出する頻度を減らしてＰＤＣＣＨの検出を最適化し、端末検出の複雑化や消費電力を低減させることができる。
【００６２】
本願の実施例は、ＰＤＣＣＨ検出の設定方法を提供し、端末デバイスに応用され、図３に示すように、以下のステップを含み、
ステップ３０１において、ネットワーク側からの指示信号を受信し、前記指示信号に基づいてＰＤＣＣＨ検出のパラメータを取得し、
ステップ３０２において、前記ＰＤＣＣＨ検出のパラメータに基づいてＰＤＣＣＨに対して検出を行う。
【００６３】
ここで、前記ＰＤＣＣＨ検出のパラメータは、全ての探索空間のうちの一部の特定探索空間、および/または、前記探索空間のうちの一部の時間領域および/または一部の周波数領域を検出するように端末デバイスに指示する。
【００６４】
以下、指示信号の異なるタイプを説明する。
【００６５】
第１のタイプとして、
ネットワーク側からの第１の指示信号を受信することを含み、前記第１の指示信号が第１のパラメータを含み、ここで、前記第１のパラメータが探索空間検出周期の倍数である。
【００６６】
任意選択で、前記第１の指示信号が第２のパラメータをさらに含み、ここで、前記第２のパラメータが前記第１のパラメータが適用される探索空間を決定するために使用される。
【００６７】
具体的には、探索空間の検出周期の倍数を表す第１のパラメータＰを第１の指示信号に搬送されることができ、典型的には、Ｐは１以上の整数である。例えば、端末のある探索空間の検出周期が５つのスロットであり、第１の指示信号に搬送される第１のパラメータＰ＝４は、その探索空間の検出周期が５ * ４ =２０スロットに調整されていることを示している。なお、第１のパラメータＰは、検出期間の調整係数と理解され、その具体的な値は、１よりも大きいか、又は１よりも小さい。
【００６８】
前記第２のパラメータが探索空間のインデックス値を含み、
前記第２のパラメータが前記第１のパラメータが適用される探索空間を決定するために使用されることは、前記第２のパラメータが前記インデックス値に対応する探索空間に適用されることを含む。
【００６９】
第１の指示信号には、第２のパラメータ、すなわち、検索空間のインデックス(またはビットマップであり、各ビットが１つの検索空間に対応する)が同時に搬送されてよく、このとき、第１のパラメータＰは、そのインデックスが対応する検索空間に応用される。探索空間の指示を追加する。すなわち、現在で４つの探索空間が仮定され、そのうちの第１、３番目の探索空間に対する探索を第２のパラメータによって指示でき、各探索空間に対する検出周期を第１のパラメータＰにより調整する。
【００７０】
前記第２のパラメータがビットマップであり、前記ビットマップの各ビットが１つの探索空間に対応し、
前記第２のパラメータが前記第１のパラメータが適用される探索空間を決定するために使用されることは、前記第２のパラメータが該ビットマップのうちの第１の値であるビットに対応する探索空間に適用されることを含む。ここで、前記第１の値は１であってもよく、すなわち、ビットマップのいずれかのビットが１に設定される場合、対応する探索空間が検出すべき探索空間であることを示す。
【００７１】
ここで、第２のパラメータはビットマップで指示される場合、( １０１０ )となり、そのうちの第１、３の探索空間について検出を行うことを示すことができ、もちろん、他の指示方式も存在してもよく、この実施例では網羅しない。
【００７２】
任意選択で、前記第１のパラメータが前記端末デバイスの全ての探索空間に応用され、又は、前記第１のパラメータが前記端末デバイスの第１のタイプの探索空間に応用される。第１のタイプの探索空間は、専用探索空間、共通探索空間、あるキャリア上の探索空間、或るＢＷＰ上の探索空間であってもよい。前記第１のパラメータが適用される第１のタイプの探索空間は、ネットワークにより設定されてもよく、または事前設定されてもよい。例えば、第１の指示信号には検索空間のインデックスは搬送されず、このとき、第１のパラメータＰは、端末の全ての検索空間に適用され、または、この端末の全てのＵＥ専用探索空間にこの第１のパラメータＰが適用され、共通探索空間のパラメータは変更しない。
【００７３】
すなわち、第１の指示信号に第２のパラメータが含まれていない場合には、第１のパラメータのみを用いて検出を行い、第１のパラメータが全ての探索空間に適用されてもよいし、端末デバイスの専用探索空間に適用されてもよい。また、ある処理として、ネットワーク側から、現在、第２のパラメータを受信しているか否かに関わらず、第１のパラメータのみを用いて検出することを端末デバイスに指示し、検出するのは、全ての探索空間であってもよいし、端末デバイスに対する専用探索空間であってもよい。
【００７４】
この実施例において、端末デバイスが初期構成する少なくとも１つの探索空間の検出周期は、前記第１の指示信号により、前記端末デバイスに設定された少なくとも１つの探索空間に対応する検出周期であってもよい。すなわち、ネットワーク側は、第１の指示信号によって少なくとも１つのパラメータを設定するだけでなく、初期状態における探索空間ごとの検出周期を設定することができる。例えば、第１の指示信号には、特定のまたは複数の探索空間の検出周期を構成するための第２のパラメータＱを搬送することができる。
【００７５】
第２のタイプとして、端末がＰＤＣＣＨを検出する複雑性を低減し、または、省電力化を達成するために、ネットワークは、端末がＰＤＣＣＨを検出する必要があるキャリア情報および/またはＢＷＰ情報を、第２の指示信号によって示すことができる。
【００７６】
具体的に、ネットワーク側からの第２の指示信号を受信し、前記第２の指示信号に基づいて検出する必要があるＰＤＣＣＨのキャリア情報及び／又はＢＷＰ情報を取得することを含む。
【００７７】
この形態において、ネットワークデバイスは、端末デバイスのために少なくとも１つのキャリアを設定し、各キャリア上に少なくとも１つの帯域幅部分（ＢＷＰ、Ｂａｎｄｗｉｄｔｈ ｐａｒｔ）を設定し、各にＢＷＰ上に少なくとも１つの探索空間を設定する。
【００７８】
具体的に、前記第２の指示信号が、少なくとも１つのキャリアインデックス、及び／又は、少なくとも１つのＢＷＰインデックスを含む。例えば、ネットワークは、端末に２つのキャリアが設定され、各キャリアに４つのＢＷＰが設定され、各ＢＷＰに８つの探索空間が設定され、ＰＤＣＣＨにキャリアインデックスとＢＷＰインデックスを搬送ることで、端末に該キャリア上の該ＢＷＰに設定された全ての探索空間の検出を指示することができる。
【００７９】
なお、前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である。又は、前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である。すなわち、第２の指示信号に搬送されたキャリアインデックス(又はＢＷＰインデックス)は、端末に該キャリア( ＢＷＰ )上の探索空間を検出するように指示するために用いられ、又は、第２指示信号に搬送されたキャリアインデックス(またはＢＷＰインデックス)は、該キャリア( ＢＷＰ )を除く他のキャリア( ＢＷＰ )上の探索空間を検出するように端末に指示するために用いられる。
【００８０】
第３のタイプとして、ネットワーク側からの第３の指示信号を受信し、前記第３の指示信号がアグリゲーションレベル情報を含み、前記アグリゲーションレベルに基づいてＰＤＣＣＨを検出する。
【００８１】
すなわち、端末が検出する必要がある探索空間におけるあるアグリゲーションレベルに対応するＰＤＣＣＨが第３の指示信号によって指示される。
【００８２】
例えば、ＮＲシステムのＰＤＣＣＨは、アグリゲーションレベル( Ａｇｇｒｅｇａｔｉｏｎ ｌｅｖｅｌ ) １、２、４、８、１６をサポートし、ＰＤＣＣＨにおいてアグリゲーションレベル情報(例えば、ＡＬ＝４ )を搬送して、端末が全ての探索空間において、アグリゲーションレベル４のＰＤＣＣＨのみを検出する必要があることを示す。
【００８３】
第４のタイプとして、
ネットワーク側からの第４の指示信号を受信し、前記第４の指示信号が制御リソースセット情報を含み、前記制御リソースセットに関連する探索空間におけるＰＤＣＣＨを検出する。
【００８４】
すなわち、ネットワークが端末に設定する検索空間は、ある制御リソースセットに対応し、複数の検索空間は、同じ制御リソースセットに対応することができ、ネットワークは、第４の指示信号に制御リソースセットの情報が搬送されることにより、端末に、該制御リソースセットに対応する検索空間のみを検出するように指示することができる。
【００８５】
なお、前記４つのタイプの指示信号は、組み合わせて用いることができ、例えば、前記４つのタイプの指示信号の少なくとも１つを用いて用いることができ、具体的な組み合わせ方は、この実施例に限定されない。
【００８６】
なお、この実施例の前記指示信号は、ＰＤＣＣＨ、媒体アクセス制御層（ＭＡＣ、Ｍｅｄｉａ Ａｃｃｅｓｓ Ｃｏｎｔｒｏｌ）制御要素（ＣＥ、Ｃｏｎｔｒｏｌ Ｅｌｅｍｅｎｔ）、又はＲＲＣシグナリングであってもよい。即ち、上記の第１の指示信号、第２の指示信号、第３の指示信号、第４の指示信号のいずれもＰＤＣＣＨ、ＭＡＣ ＣＥ、又はＲＲＣシグナリングにより伝送される。
【００８７】
任意選択で、前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定する。
【００８８】
すなわち、上述の第１、第２、第３、第４の指示信号がＰＤＣＣＨである場合、既存のＤＣＩフォーマットによって実現され、例えば、ＤＣＩ中のあるフィールドを特定の値に設定することによって、このＤＣＩが前記第１、第２、第３、第４の指示信号であることを示す。
【００８９】
さらに、ネットワークデバイスは、サービス状況及び／又はネットワーク負荷等の状況により、上記指示信号を決定してもよい。
【００９０】
例えば、端末デバイスのサービスが少ない場合、端末デバイスの検出周期を大きくし、第１のパラメータによって検出周期を調整することができ、又は、ネットワーク負荷が大きい場合には、端末デバイスの検出回数を減らすことができる。端末デバイスの検出回数を減らす方法は、上記の４つの指示信号の１つ以上によって指示することであり、ここでは網羅的に説明しない。
【００９１】
このように、上記の構成を採用することにより、端末デバイスが一部の探索空間のみを検出し、及び／又は、探索空間内の時間領域及び/又は周波数領域の一部の位置を検出するように制御することができるので、端末デバイスが探索空間を検出する頻度を減らしてＰＤＣＣＨの検出を最適化し、端末検出の複雑化や消費電力を低減させることができる。
【００９２】
本願の実施例は、第１の通信ユニットを備えるネットワークデバイスを提供し、
第１の通信ユニットは、指示信号により、端末デバイスのためにＰＤＣＣＨ検出のパラメータを設定するように構成される。
【００９３】
ここで、前記ＰＤＣＣＨ検出のパラメータは、全ての探索空間のうちの一部の特定探索空間、および/または、前記探索空間のうちの一部の時間領域および/または一部の周波数領域を検出するように端末デバイスに指示する。
【００９４】
以下、指示信号の異なるタイプを説明する。
【００９５】
第１のタイプとして、
前記第１の通信ユニットは、端末デバイスに第１の指示信号を送信するように構成され、前記第１の指示信号がＰＤＣＣＨ検出の第１のパラメータを含み、ここで、前記第１のパラメータが探索空間検出周期の倍数である。
【００９６】
前記第１の指示信号が第２のパラメータをさらに含み、ここで、前記第２のパラメータは、前記端末デバイスが検出する一部の特定の探索空間に対応するインデックス値を示す。
【００９７】
検出周期は、探索空間を構成するパラメータの一つであり、探索空間検出の周期を示し、すなわちＸ個のスロットに１回の探索空間検出を示す。
【００９８】
具体的には、探索空間の検出周期の倍数を表す第１のパラメータＰを第１の指示信号に搬送されることができ、典型的には、Ｐは１以上の整数である。例えば、端末のある探索空間の検出周期が５つのスロットであり、第１の指示信号に搬送される第１のパラメータＰ＝４は、その探索空間の検出周期が５ * ４ =２０スロットに調整されていることを示している。なお、第１のパラメータＰは、検出期間の調整係数と理解され、その具体的な値は、１よりも大きいか、又は１よりも小さい。
【００９９】
任意選択で、前記第１の指示信号が第２のパラメータをさらに含み、ここで、前記第２のパラメータが前記第１のパラメータが適用される探索空間を決定するために使用される。
【０１００】
前記第２のパラメータが探索空間のインデックス値を含み、
前記第２のパラメータが前記第１のパラメータが適用される探索空間を決定するために使用されることは、前記第２のパラメータが前記インデックス値に対応する探索空間に適用されることを含む。
【０１０１】
第１の指示信号には、第２のパラメータ、すなわち、検索空間のインデックス(またはビットマップであり、各ビットが１つの検索空間に対応する)が同時に搬送されてよく、このとき、第１のパラメータＰは、そのインデックスが対応する検索空間に応用される。探索空間の指示を追加する。すなわち、現在で４つの探索空間が仮定され、そのうちの第１、３番目の探索空間に対する探索を第２のパラメータによって指示でき、各探索空間に対する検出周期を第１のパラメータＰにより調整する。
【０１０２】
前記第２のパラメータがビットマップであり、前記ビットマップの各ビットが１つの探索空間に対応し、
前記第２のパラメータが前記第１のパラメータが適用される探索空間を決定するために使用されることは、前記第２のパラメータが該ビットマップのうちの第１の値であるビットに対応する探索空間に適用されることを含む。ここで、前記第１の値は１であってもよく、すなわち、ビットマップのいずれかのビットが１に設定される場合、対応する探索空間が検出すべき探索空間であることを示す。
【０１０３】
ここで、第２のパラメータはビットマップで指示される場合、( １０１０ )となり、そのうちの第１、３の探索空間について検出を行うことを示すことができ、もちろん、他の指示方式も存在してもよく、この実施例では網羅しない。
【０１０４】
任意選択で、前記第１のパラメータが前記端末デバイスの全ての探索空間に応用され、又は、前記第１のパラメータが前記端末デバイスの第１のタイプの探索空間に応用される。第１のタイプの探索空間は、専用探索空間、共通探索空間、あるキャリア上の探索空間、或るＢＷＰ上の探索空間、又は検出周期が或る値(例えば１０タイムスロット)未満の探索空間であってもよい。前記第１のパラメータが適用される第１のタイプの探索空間は、ネットワークにより設定されてもよく、または事前設定されてもよい。例えば、第１の指示信号には検索空間のインデックスは搬送されず、このとき、第１のパラメータＰは、端末の全ての検索空間に適用され、または、この端末の全てのＵＥ専用探索空間にこの第１のパラメータＰが適用され、共通探索空間のパラメータは変更しない。
【０１０５】
すなわち、第１の指示信号に第２のパラメータが含まれていない場合には、第１のパラメータのみを用いて検出を行い、第１のパラメータが全ての探索空間に適用されてもよいし、端末デバイスの専用探索空間に適用されてもよい。また、ある処理として、ネットワーク側から、現在、第２のパラメータを受信しているか否かに関わらず、第１のパラメータのみを用いて検出することを端末デバイスに指示し、検出するのは、全ての探索空間であってもよいし、端末デバイスに対する専用探索空間であってもよい。
【０１０６】
この実施例において、端末デバイスが初期構成する少なくとも１つの探索空間の検出周期は、前記第１の指示信号により、前記端末デバイスに設定された少なくとも１つの探索空間に対応する検出周期であってもよい。すなわち、ネットワーク側は、第１の指示信号によって少なくとも１つのパラメータを設定するだけでなく、初期状態における探索空間ごとの検出周期を設定することができる。例えば、第１の指示信号には、特定のまたは複数の探索空間の検出周期を構成するための第２のパラメータＱを搬送することができる。
【０１０７】
第２のタイプとして、端末がＰＤＣＣＨを検出する複雑性を低減し、または、省電力化を達成するために、ネットワークは、端末がＰＤＣＣＨを検出する必要があるキャリア情報および/またはＢＷＰ情報を、第２の指示信号によって示すことができる。
【０１０８】
具体的に、前記第１の通信ユニットは、端末デバイスに第２の指示信号を送信するように構成され、前記第２の指示信号は、検出する必要があるＰＤＣＣＨのキャリア情報及び／又はＢＷＰ情報を端末デバイスに指示する。
【０１０９】
この形態において、ネットワークデバイスは、端末デバイスのために少なくとも１つのキャリアを設定し、各キャリア上に少なくとも１つの帯域幅部分（ＢＷＰ、Ｂａｎｄｗｉｄｔｈ ｐａｒｔ）を設定し、各にＢＷＰ上に少なくとも１つの探索空間を設定する。
【０１１０】
具体的に、前記第２の指示信号が、少なくとも１つのキャリアインデックス、及び／又は、少なくとも１つのＢＷＰインデックスを含む。例えば、ネットワークは、端末に２つのキャリアが設定され、各キャリアに４つのＢＷＰが設定され、各ＢＷＰに８つの探索空間が設定され、ＰＤＣＣＨにキャリアインデックスとＢＷＰインデックスを搬送ることで、端末に該キャリア上の該ＢＷＰに設定された全ての探索空間の検出を指示することができる。
【０１１１】
なお、前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である。又は、前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である。すなわち、第２の指示信号に搬送されたキャリアインデックス(又はＢＷＰインデックス)は、端末に該キャリア( ＢＷＰ )上の探索空間を検出するように指示するために用いられ、又は、第２指示信号に搬送されたキャリアインデックス(またはＢＷＰインデックス)は、該キャリア( ＢＷＰ )を除く他のキャリア( ＢＷＰ )上の探索空間を検出するように端末に指示するために用いられる。
【０１１２】
第３のタイプとして、前記第１の通信ユニットは、端末デバイスに第３の指示信号を送信するように構成され、ここで、前記第３の指示信号がアグリゲーションレベル情報を含む。
【０１１３】
すなわち、検出される必要がある探索空間における特定のアグリゲーションレベルに対応するＰＤＣＣＨが端末デバイスに指示する。
【０１１４】
すなわち、端末が検出する必要がある探索空間におけるあるアグリゲーションレベルに対応するＰＤＣＣＨが第３の指示信号によって指示される。
【０１１５】
例えば、新規ラジオ( ＮＲ、Ｎｅｗ Ｒａｄｉｏ )システムのＰＤＣＣＨは、アグリゲーションレベル( Ａｇｇｒｅｇａｔｉｏｎ ｌｅｖｅｌ ) １、２、４、８、１６をサポートし、ＰＤＣＣＨにおいてアグリゲーションレベル情報(例えば、ＡＬ＝４ )を搬送して、端末が全ての探索空間において、アグリゲーションレベル４のＰＤＣＣＨのみを検出する必要があることを示す。
【０１１６】
第４のタイプとして、
前記第１の通信ユニットは、端末デバイスに第４の指示信号を送信するように構成され、ここで、前記第４の指示信号が制御リソースセット情報を含む。
【０１１７】
すなわち、第４の指示信号により、特定の制御リソースセット情報に対応する探索空間を検出するよう端末デバイスに指示する。
【０１１８】
すなわち、ネットワークが端末に設定する検索空間は、ある制御リソースセットに対応し、複数の検索空間は、同じ制御リソースセットに対応することができ、ネットワークは、第４の指示信号に制御リソースセットの情報が搬送されることにより、端末に、該制御リソースセットに対応する検索空間のみを検出するように指示することができる。
【０１１９】
なお、前記４つのタイプの指示信号は、組み合わせて用いることができ、例えば、前記４つのタイプの指示信号の少なくとも１つを用いて用いることができ、具体的な組み合わせ方は、この実施例に限定されない。
【０１２０】
なお、この実施例の前記指示信号は、ＰＤＣＣＨ、ＭＡＣ ＣＥ、又はＲＲＣシグナリングである。即ち、第１の指示信号、第２の指示信号、第３の指示信号、第４の指示信号のいずれもＰＤＣＣＨ、ＭＡＣ ＣＥ、又はＲＲＣシグナリングにより伝送される。
【０１２１】
任意選択で、前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定することを含む。
【０１２２】
すなわち、上述の第１、第２、第３、第４の指示信号がＰＤＣＣＨである場合、既存のＤＣＩフォーマットによって実現され、例えば、ＤＣＩ中のあるフィールドを特定の値に設定することによって、このＤＣＩが前記第１、第２、第３、第４の指示信号であることを示す。
【０１２３】
さらに、ネットワークデバイスは、サービス状況及び／又はネットワーク負荷等の状況により、上記指示信号を決定してもよい。
【０１２４】
例えば、端末デバイスのサービスが少ない場合、端末デバイスの検出周期を大きくし、第１のパラメータによって検出周期を調整することができ、又は、ネットワーク負荷が大きい場合には、端末デバイスの検出回数を減らすことができる。端末デバイスの検出回数を減らす方法は、上記の４つの指示信号の１つ以上によって指示することであり、ここでは網羅的に説明しない。
【０１２５】
このように、上記の構成を採用することにより、端末デバイスが一部の探索空間のみを検出し、及び／又は、探索空間内の時間領域及び/又は周波数領域の一部の位置を検出するように制御することができるので、端末デバイスが探索空間を検出する頻度を減らしてＰＤＣＣＨの検出を最適化し、端末検出の複雑化や消費電力を低減させることができる。
【０１２６】
本願の実施例は、第２の通信ユニット４１を備える端末デバイスを提供し、図４に示すように、
第２の通信ユニット４１は、ネットワーク側からの指示信号を受信し、前記指示信号に基づいてＰＤＣＣＨ検出のパラメータを取得し、前記ＰＤＣＣＨ検出のパラメータに基づいてＰＤＣＣＨに対して検出を行うように構成される。
【０１２７】
ここで、前記ＰＤＣＣＨ検出のパラメータは、全ての探索空間のうちの一部の特定探索空間、および/または、前記探索空間のうちの一部の時間領域および/または一部の周波数領域を検出するように端末デバイスに指示する。
【０１２８】
以下、指示信号の異なるタイプを説明する。
【０１２９】
第１のタイプとして、
第２の通信ユニット４１は、ネットワーク側からの第１の指示信号を受信するように構成され、前記第１の指示信号が第１のパラメータを含み、ここで、前記第１のパラメータが探索空間検出周期の倍数である。
【０１３０】
検出周期は、探索空間を構成するパラメータの一つであり、探索空間検出の周期を示し、すなわちＸ個のスロットに１回の探索空間検出を示す。 
具体的には、探索空間の検出周期の倍数を表す第１のパラメータＰを第１の指示信号に搬送されることができ、典型的には、Ｐは１以上の整数である。例えば、端末のある探索空間の検出周期が５つのスロットであり、第１の指示信号に搬送される第１のパラメータＰ＝４は、その探索空間の検出周期が５ * ４ =２０スロットに調整されていることを示している。なお、第１のパラメータＰは、検出期間の調整係数と理解され、その具体的な値は、１よりも大きいか、又は１よりも小さい。
【０１３１】
任意選択で、前記第１の指示信号が第２のパラメータをさらに含み、ここで、前記第２のパラメータが前記第１のパラメータが適用される探索空間を決定するために使用される。
【０１３２】
前記第２のパラメータが探索空間のインデックス値を含み、
前記第２のパラメータが前記インデックス値に対応する探索空間に適用されることを含む。
【０１３３】
第１の指示信号には、第２のパラメータ、すなわち、検索空間のインデックス(またはビットマップであり、各ビットが１つの検索空間に対応する)が同時に搬送されてよく、このとき、第１のパラメータＰは、そのインデックスが対応する検索空間に応用される。探索空間の指示を追加する。すなわち、現在で４つの探索空間が仮定され、そのうちの第１、３番目の探索空間に対する探索を第２のパラメータによって指示でき、各探索空間に対する検出周期を第１のパラメータＰにより調整する。
【０１３４】
前記第２のパラメータがビットマップであり、前記ビットマップの各ビットが１つの探索空間に対応し、
前記第２のパラメータが前記第１のパラメータが適用される探索空間を決定するために使用されることは、前記第２のパラメータが該ビットマップのうちの第１の値であるビットに対応する探索空間に適用されることを含む。ここで、前記第１の値は１であってもよく、すなわち、ビットマップのいずれかのビットが１に設定される場合、対応する探索空間が検出すべき探索空間であることを示す。
【０１３５】
ここで、第２のパラメータはビットマップで指示される場合、( １０１０ )となり、そのうちの第１、３の探索空間について検出を行うことを示すことができ、もちろん、他の指示方式も存在してもよく、この実施例では網羅しない。
【０１３６】
任意選択で、前記第１のパラメータが前記端末デバイスの全ての探索空間に応用され、又は、前記第１のパラメータが前記端末デバイスの第１のタイプの探索空間に応用される。第１のタイプの探索空間は、専用探索空間、共通探索空間、あるキャリア上の探索空間、或るＢＷＰ上の探索空間であってもよい。前記第１のパラメータが適用される第１のタイプの探索空間は、ネットワークにより設定されてもよく、または事前設定されてもよい。例えば、第１の指示信号には検索空間のインデックスは搬送されず、このとき、第１のパラメータＰは、端末の全ての検索空間に適用され、または、この端末の全てのＵＥ専用探索空間にこの第１のパラメータＰが適用され、共通探索空間のパラメータは変更しない。
【０１３７】
すなわち、第１の指示信号に第２のパラメータが含まれていない場合には、第１のパラメータのみを用いて検出を行い、第１のパラメータが全ての探索空間に適用されてもよいし、端末デバイスの専用探索空間に適用されてもよい。また、ある処理として、ネットワーク側から、現在、第２のパラメータを受信しているか否かに関わらず、第１のパラメータのみを用いて検出することを端末デバイスに指示し、検出するのは、全探索空間であってもよいし、端末デバイスに対する専用探索空間であってもよい。
【０１３８】
この実施例において、端末デバイスが初期構成する少なくとも１つの探索空間の検出周期は、前記第１の指示信号により、前記端末デバイスに設定された少なくとも１つの探索空間に対応する検出周期であってもよい。すなわち、ネットワーク側は、第１の指示信号によって少なくとも１つのパラメータを設定するだけでなく、初期状態における探索空間ごとの検出周期を設定することができる。例えば、第１の指示信号には、特定のまたは複数の探索空間の検出周期を構成するための第２のパラメータＱを搬送することができる。
【０１３９】
第２のタイプとして、端末がＰＤＣＣＨを検出する複雑性を低減し、または、省電力化を達成するために、ネットワークは、端末がＰＤＣＣＨを検出する必要があるキャリア情報および/またはＢＷＰ情報を、第２の指示信号によって示すことができる。
【０１４０】
具体的に、第２の通信ユニット４１は、ネットワーク側からの第２の指示信号を受信し、前記第２の指示信号に基づいて検出する必要があるＰＤＣＣＨのキャリア情報及び／又はＢＷＰ情報を取得するように構成される。
【０１４１】
この形態において、ネットワークデバイスは、端末デバイスのために少なくとも１つのキャリアを設定し、各キャリア上に少なくとも１つの帯域幅部分（ＢＷＰ、Ｂａｎｄｗｉｄｔｈ ｐａｒｔ）を設定し、各にＢＷＰ上に少なくとも１つの探索空間を設定する。
【０１４２】
具体的に、前記第２の指示信号が、少なくとも１つのキャリアインデックス、及び／又は、少なくとも１つのＢＷＰインデックスを含む。例えば、ネットワークは、端末に２つのキャリアが設定され、各キャリアに４つのＢＷＰが設定され、各ＢＷＰに８つの探索空間が設定され、ＰＤＣＣＨにキャリアインデックスとＢＷＰインデックスを搬送ることで、端末に該キャリア上の該ＢＷＰに設定された全ての探索空間の検出を指示することができる。
【０１４３】
なお、前記第２の指示信号に含まれる少なくとも１つのキャリアインデックス及び／又は少なくとも１つのＢＷＰインデックスは、端末デバイスが検出する必要があるＰＤＣＣＨのキャリア情報及び／又はＢＷＰ情報である。又は、前記第２の指示信号に含まれる少なくとも１つのキャリアインデックス及び／又は少なくとも１つのＢＷＰインデックスは、端末デバイスが検出する必要がないＰＤＣＣＨのキャリア情報及び／又はＢＷＰ情報である。すなわち、第２の指示信号に搬送されたキャリアインデックス(又はＢＷＰインデックス)は、端末に該キャリア( ＢＷＰ )上の探索空間を検出するように指示するために用いられ、又は、第２指示信号に搬送されたキャリアインデックス(またはＢＷＰインデックス)は、該キャリア( ＢＷＰ )を除く他のキャリア( ＢＷＰ )上の探索空間を検出するように端末に指示するために用いられる。
【０１４４】
第３のタイプとして、第２の通信ユニット４１は、ネットワーク側からの第３の指示信号を受信し、前記第３の指示信号がアグリゲーションレベル情報を含み、前記アグリゲーションレベルに基づいてＰＤＣＣＨを検出するように構成される。
【０１４５】
すなわち、端末が検出する必要がある探索空間におけるあるアグリゲーションレベルに対応するＰＤＣＣＨが第３の指示信号によって指示される。
【０１４６】
例えば、新規ラジオ( ＮＲ、Ｎｅｗ Ｒａｄｉｏ )システムのＰＤＣＣＨは、アグリゲーションレベル( Ａｇｇｒｅｇａｔｉｏｎ ｌｅｖｅｌ ) １、２、４、８、１６をサポートし、ＰＤＣＣＨにおいてアグリゲーションレベル情報(例えば、ＡＬ＝４ )を搬送して、端末が全ての探索空間において、アグリゲーションレベル４のＰＤＣＣＨのみを検出する必要があることを示す。
【０１４７】
第４のタイプとして、
第２の通信ユニット４１は、ネットワーク側からの第４の指示信号を受信し、前記第４の指示信号が制御リソースセット情報を含み、前記制御リソースセットに関連する探索空間におけるＰＤＣＣＨを検出するように構成される。
【０１４８】
すなわち、ネットワークが端末に設定する検索空間は、ある制御リソースセットに対応し、複数の検索空間は、同じ制御リソースセットに対応することができ、ネットワークは、第４の指示信号に制御リソースセットの情報が搬送されることにより、端末に、該制御リソースセットに対応する検索空間のみを検出するように指示することができる。
【０１４９】
なお、前記４つのタイプの指示信号は、組み合わせて用いることができ、例えば、前記４つのタイプの指示信号の少なくとも１つを用いて用いることができ、具体的な組み合わせ方は、この実施例に限定されない。
【０１５０】
なお、この実施例の指示信号は、ＰＤＣＣＨ、媒体アクセス制御層（ＭＡＣ、Ｍｅｄｉａ Ａｃｃｅｓｓ Ｃｏｎｔｒｏｌ）制御要素（ＣＥ、Ｃｏｎｔｒｏｌ Ｅｌｅｍｅｎｔ）、又はＲＲＣシグナリングであってもよい。即ち、第１の指示信号、第２の指示信号、第３の指示信号、第４の指示信号のいずれもＰＤＣＣＨ、ＭＡＣ ＣＥ、又はＲＲＣシグナリングにより伝送される。
【０１５１】
任意選択で、第２の処理ユニット４２は、前記指示信号がＰＤＣＣＨであり、前記ＰＤＣＣＨに搬送されるＤＣＩにおける特定フィールドが第２の値である場合、前記ＰＤＣＣＨに前記指示信号が含まれると決定するように構成される。
【０１５２】
すなわち、上述の第１、第２、第３、第４の指示信号がＰＤＣＣＨである場合、既存のＤＣＩフォーマットによって実現され、例えば、ＤＣＩ中のあるフィールドを特定の値に設定することによって、このＤＣＩが前記第１、第２、第３、第４の指示信号であることを示す。
【０１５３】
さらに、ネットワークデバイスは、サービス状況及び／又はネットワーク負荷等の状況により、上記指示信号を決定してもよい。
【０１５４】
例えば、端末デバイスのサービスが少ない場合、端末デバイスの検出周期を大きくし、第１のパラメータによって検出周期を調整することができ、又は、ネットワーク負荷が大きい場合には、端末デバイスの検出回数を減らすことができる。端末デバイスの検出回数を減らす方法は、上記の４つの指示信号の１つ以上によって指示することであり、ここでは網羅的に説明しない。
【０１５５】
このように、上記の構成を採用することにより、端末デバイスが一部の探索空間のみを検出し、及び／又は、探索空間内の時間領域及び/又は周波数領域の一部の位置を検出するように制御することができるので、端末デバイスが探索空間を検出する頻度を減らしてＰＤＣＣＨの検出を最適化し、端末検出の複雑化や消費電力を低減させることができる。
【０１５６】
図５は、本発明の実施例に係る通信デバイス５００の概略構成図である。図５に示す通信デバイス５００は、メモリからコンピュータプログラムを呼び出して実行することにより、本願の実施例における方法を実行するプロセッサ５１０を備える。
【０１５７】
任意選択で、図５に示されるように、通信デバイス５００は、メモリ５２０をさらに含み得る。プロセッサ５１０は、メモリ５２０からコンピュータプログラムを呼び出して実行し、本願の実施例における方法を実施する。
【０１５８】
ここで、メモリ５２０は、プロセッサ５１０とは独立した１つの別個の部品であってもよく、プロセッサ５１０に集積されてもよい。
【０１５９】
任意選択で、図５に示されるように、通信デバイス５００は、プロセッサ５１０が他のデバイスと通信するように制御することができる、具体的には、他のデバイスに情報またはデータを送信することができ、または他のデバイスによって送信された情報またはデータを受信することができる、送受信機５３０をさらに含むことができる。
【０１６０】
送受信機５３０は、送信機および受信機を含み得る。送受信機５３０は、１つ以上のアンテナをさらに含むことができる。
【０１６１】
任意選択で、通信デバイス５００は、特に、本願の実施例のネットワークデバイスであってもよく、通信デバイス５００は、本願の実施例の様々な方法においてネットワークデバイスにより実施される対応するフローを実施してもよく、簡潔のために、ここでは詳しい説明を省略する。
【０１６２】
任意選択で、通信デバイス５００は、特に、本願の実施例の端末デバイス、又はネットワークデバイスであってもよく、通信デバイス５００は、本願の実施例の様々な方法において移動端末/端末デバイスによって実施される対応するフローを実施してもよく、簡潔にするために、ここで説明を省略する。
【０１６３】
図６は、本願の実施例におけるチップの概略構成図である。図６に示されるチップ６００は、メモリからコンピュータプログラムを呼び出して実行することにより、本願の実施例における方法を実行することができるプロセッサ６１０を含む。
【０１６４】
任意選択で、図６に示されるように、チップ６００は、メモリ６２０をさらに含んでもよい。プロセッサ６１０は、メモリ６２０からコンピュータプログラムを呼び出して実行することにより、本願の実施例における方法を実行する。
【０１６５】
ここで、メモリ６２０は、プロセッサ６１０とは独立した１つの別個の部品であってもよく、プロセッサ６１０に集積されてもよい。
【０１６６】
任意選択で、チップ６００は、入力インターフェース６３０をさらに含むことができる。プロセッサ６１０は、入力インターフェース６３０を制御して、他のデバイスまたはチップと通信してもよく、具体的には、他のデバイスまたはチップによって送信された情報またはデータを取得してもよい。
【０１６７】
任意選択で、チップ６００は、出力インターフェース６４０をさらに含むことができる。ここで、プロセッサ６１０は、出力インターフェース６４０を制御して、他のデバイス又はチップと通信してもよく、具体的には、他のデバイス又はチップに情報又はデータを出力してもよい。
【０１６８】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１６９】
任意選択で、チップは、本願の実施例における端末デバイスに適用されてもよく、チップは、本願の実施例の様々な方法において端末デバイスによって実施される対応するフローを実施してもよく、簡潔さのためにここで説明を省略する。
【０１７０】
なお、本願の実施例で言及されるチップは、システムチップ、チップシステム、またはシステムオンチップなどと呼ばれることもある。
【０１７１】
図７は、本願の実施例によって提供される通信システム７００の概略ブロック図である。図７に示すように、通信システム７００は、端末デバイス７１０と、ネットワークデバイス７２０とを有する。
【０１７２】
ここで、該端末デバイス７１０は、上記方法のうち端末デバイスによって実現される対応する機能を実現するために使用され、該ネットワークデバイス７２０は、上記方法のうちネットワークデバイスによって実現される対応する機能を実現するために使用され、簡潔にするために、ここでは詳しい説明を省略する。
【０１７３】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１７４】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、静的ランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１７５】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１７６】
本発明の実施例は、コンピュータプログラムを記憶するためのコンピュータ可読記憶媒体をさらに提供する。
【０１７７】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させ、簡潔にするために、ここでは詳しい説明を省略する。
【０１７８】
任意選択で、コンピュータ可読記憶媒体は、本願の実施例における移動端末／端末デバイスに適用されてもよく、コンピュータプログラムは、コンピュータに、本願の実施例の各方法において移動端末／端末デバイスによって実施される対応するフローを実行させ、簡潔にするために、ここでは詳しい説明を省略する。
【０１７９】
本願の実施例は、コンピュータプログラム命令を含むコンピュータプログラム製品も提供する。
【０１８０】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明を省略する。
【０１８１】
任意選択で、コンピュータプログラム製品は、本願の実施例における移動端末／端末デバイスに適用されてもよく、コンピュータプログラム命令は、コンピュータに、本願の実施例の各方法において移動端末／端末デバイスによって実施される対応するフローを実行させ、簡潔にするために、ここでは詳しい説明を省略する。
【０１８２】
本発明の実施例は、コンピュータプログラムをさらに提供する。
【０１８３】
任意選択で、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここで説明を省略する。
【０１８４】
任意選択的に、コンピュータプログラムは、本願の実施例における移動端末／端末デバイスに適用されてもよく、コンピュータプログラムがコンピュータ上で実行される場合、コンピュータに、本願の実施例の各方法において移動端末／端末デバイスによって実現される対応するフローを実行させ、簡潔のために、ここで説明を省略する。
【０１８５】
なお、本願で提供する複数の実施例は、組み合わせて用いてもよく、単独で用いてもよく、複数の実施例のうちの少なくとも１つを組み合わせて用いてもよい。
【０１８６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１８７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１８８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１８９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、この実施例の目的は、必要に応じて各部の一部又は全部を選択して実施することができる。
【０１９０】
また、本発明の各実施例における各機能部は、１つの処理部に集積されてもよいし、各部は、物理的に別個に存在してもよいし、２つ以上の部が１つの部に集積されてもよい。
【０１９１】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１９２】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021529464.tif 000003
【図２】
2021529464.tif 000004
【図３】
2021529464.tif 000005
【図４】
2021529464.tif 000006
【図５】
2021529464.tif 000007
【図６】
2021529464.tif 000008
【図７】
2021529464.tif 000009
【国際調査報告】
2021529464.tif 000010
2021529464.tif 000011
2021529464.tif 000012
2021529464.tif 000013